(57)【要約】【課題】  ソレノイドを内蔵するソレノイド部と、ソレノイドにより駆動される制御弁を内蔵する制御弁部とを備える可変容量斜板式圧縮機の電磁式容量制御弁であって、制御弁部に配設されたシール部材を介する冷媒ガスの圧縮機外への透過漏れが従来に比べて効果的に阻止された電磁式容量制御弁を提供する。【解決手段】  ソレノイドを内蔵するソレノイド部と、ソレノイドにより駆動される制御弁を内蔵する制御弁部とを備え、制御弁部の外周面が弾性体により被覆されている。【選択図】  図２
2007002672.tif 000002
【特許請求の範囲】
【請求項１】
ソレノイドを内蔵するソレノイド部と、ソレノイドにより駆動される制御弁を内蔵する制御弁部とを備え、制御弁部の外周面が弾性体により被覆されていることを特徴とする可変容量斜板式圧縮機の電磁式容量制御弁。
【請求項２】
弾性体被覆の外周に環状突起が形成されていることを特徴とする請求項１に記載の可変容量斜板式圧縮機の電磁式容量制御弁。
【請求項３】
弾性体は耐冷媒ガス透過性に優れるゴムであることを特徴とする請求項１又は２に記載の可変容量斜板式圧縮機の電磁式容量制御弁。
【発明の詳細な説明】
【技術分野】
【０００１】
本発明は、可変容量斜板式圧縮機の電磁式容量制御弁に関するものである。
【背景技術】
【０００２】
図１に示すように、ソレノイドを内蔵する円柱状のソレノイド部１と、ソレノイドにより駆動される制御弁を内蔵する円柱状の制御弁部２とを備え、制御弁部２の外周面に複数の周溝が形成され、各周溝内にＯリング３が収容された可変容量斜板式圧縮機の電磁式容量制御弁が特許文献１等に開示されている。
電磁式容量制御弁は、制御弁部を圧縮機内側へ差し向けて、圧縮機ハウジングに形成された凹部に挿入固定されている。制御弁部２の外周面は、ハウジング凹部の周壁に当接しており、Ｏリング３とハウジング凹部の周壁との間に適正な面圧が生じている。制御弁部２には斜板式圧縮機吐出室との連通穴と、圧縮機吸入室との連通穴と、圧縮機クランク室との連通穴とが、制御弁部２の長手方向に互いに間隔を隔てて形成されている。Ｏリング３は互いに隣接する連通穴の間に１個、最もソレノイド部１に近接する連通穴とソレノイド部１との間に１個の計３個配設されている。互いに隣接する連通穴間に配設されたＯリング３は、制御弁部２の外側での連通穴相互の短絡を阻止し、最もソレノイド部１に近接する連通穴とソレノイド部１との間に配設されたＯリング３は、圧縮機外への冷媒ガスの漏洩を阻止している。
【特許文献１】特開２００３−２５４２４６
【発明の開示】
【発明が解決しようとする課題】
【０００３】
最もソレノイド部１に近接する連通穴とソレノイド部１との間に配設されたＯリング３は、制御弁部２外周面とハウジング凹部周壁との当接部を介する冷媒ガスの圧縮機外への隙間漏れを効果的に阻止するが、Ｏリング３自体を介する冷媒ガスの圧縮機外への透過漏れ（Ｏリング３を透過した冷媒ガスの圧縮機外への漏洩）は、透過距離、即ち制御弁部２長手方向のＯリング３の延在長さ、が短いために効果的に阻止できないという問題がある。
本発明は上記問題に鑑みてなされたものであり、ソレノイドを内蔵するソレノイド部と、ソレノイドにより駆動される制御弁を内蔵する制御弁部とを備える可変容量斜板式圧縮機の電磁式容量制御弁であって、制御弁部に配設されたシール部材を介する冷媒ガスの圧縮機外への透過漏れが従来に比べて効果的に阻止された電磁式容量制御弁を提供することを目的とする。
【課題を解決するための手段】
【０００４】
上記課題を解決するために、本発明においては、ソレノイドを内蔵するソレノイド部と、ソレノイドにより駆動される制御弁を内蔵する制御弁部とを備え、制御弁部の外周面が弾性体により被覆されていることを特徴とする可変容量斜板式圧縮機の電磁式容量制御弁を提供する。
本発明においては、弾性体被覆の、最もソレノイド部に近接する制御弁部連通穴とソレノイド部との間で延在する部位が、従来技術のＯリングに代わって、制御弁部とハウジング凹部周壁との当接部を介する冷媒ガスの圧縮機外への隙間漏れを効果的に阻止する。弾性体被覆の前記部位の透過距離は、即ち制御弁部長手方向の延在長さは、Ｏリングに比べて長いので、前記部位を介する冷媒ガスの圧縮機外への透過漏れは、従来に比べて効果的に阻止される。
【０００５】
本発明の好ましい態様においては、弾性体被覆の外周に環状突起が形成されている。
環状突起部とハウジング凹部との間に高い面圧が働くので、制御弁部とハウジング凹部との当接部を介する冷媒ガスの圧縮機外への隙間漏れが更に効果的に阻止される。
【０００６】
本発明の好ましい態様においては、弾性体は耐冷媒ガス透過性に優れるゴムである。
弾性体被覆を介する冷媒ガスの圧縮機外への透過漏れを効果的に阻止するために、弾性体として耐冷媒ガス透過性に優れるゴムを使用するのが望ましい。
【発明の効果】
【０００７】
本発明においては、弾性体被覆の、最もソレノイド部に近接する制御弁部連通穴とソレノイド部との間に延在する部位が、従来技術のＯリングに代わって、制御弁部とハウジング凹部周壁との当接部を介する冷媒ガスの圧縮機外への隙間漏れを効果的に阻止する。弾性体被覆の前記部位の透過距離は、即ち制御弁部長手方向の延在長さは、Ｏリングに比べて長いので、前記部位を介する冷媒ガスの圧縮機外への透過漏れは、従来に比べて効果的に阻止される。
【発明を実施するための最良の形態】
【０００８】
本発明の実施例に係る可変容量斜板式圧縮機の電磁式容量制御弁を説明する。
【実施例１】
【０００９】
図２に示すように、可変容量斜板式圧縮機の電磁式容量制御弁１０は、ソレノイドを内蔵する円柱状のソレノイド部１１と、ソレノイドにより駆動される制御弁を内蔵する円柱状の制御弁部１２とを備えている。
電磁式容量制御弁１０は、制御弁部１２を圧縮機内側へ差し向けて、圧縮機ハウジングに形成された凹部に挿入固定されている。制御弁部１２には斜板式圧縮機吐出室との連通穴１２ａと、圧縮機吸入室との連通穴１２ｂと、圧縮機クランク室との連通穴１２ｃとが、制御弁部１２の長手方向に互いに間隔を隔てて形成されている。
制御弁部１２の外周面は、互いに隣接する連通穴１２ｃと１２ａの間の部位と、連通穴１２ａと１２ｂの間の部位と、最もソレノイド部１１に近接する連通穴１２ｂとソレノイド部１１の間の部位とが、略全面に亙って、水素化ニトリルゴム（ＨＮＢＲ）、エチレンプロピレンジエン三元共重合体配合物（ＥＰＤＭ  ｃｏｍｐｏｕｎｄ）等の耐冷媒ガス透過性に優れるゴムから成る筒状の弾性体１３ａ、１３ｂ、１３ｃにより被覆されている。
筒状の弾性体被覆１３ａ、１３ｂ、１３ｃの外周に、断面が半円形の環状突起１３ａ’、１３ｂ’、１３ｃ’が形成されている。
【００１０】
本実施例に係る容量制御弁１０が図示しない圧縮機ハウジングの凹部に挿入固定された状態において、環状突起１３ａ’、１３ｂ’、１３ｃ’は、ハウジング凹部周壁に押し付けられ押しつぶされて、筒状の弾性体被覆１３ａ、１３ｂ、１３ｃの外周面と面一になっている。弾性体被覆１３ａ、１３ｂ、１３ｃの外周面はハウジング凹部周壁に当接して、当該周壁との間に適正な面圧が生じており、押しつぶされた環状突起１３ａ’、１３ｂ’、１３ｃ’の部位の外周面とハウジング凹部周壁との間には他部に比べて高い面圧が生じている。
圧縮機の稼働時に、弾性体被覆１３ａは、制御弁部１２の外側での、連通穴１２ａと連通穴１２ｃの相互短絡を阻止し、弾性体被覆１３ｂは、制御弁部１２の外側での、連通穴１２ａと連通穴１２ｂの相互短絡を阻止している。最もソレノイド部１１に近接する連通穴１２ｂとソレノイド部１１との間に配設された弾性体被覆１３ｃは、圧縮機外への冷媒ガスの漏洩を阻止している。
【００１１】
容量制御弁１０においては、弾性体被覆１３ａ、１３ｂ、１３ｃの、最もソレノイド部１１に近接する連通穴１２ｂとソレノイド部１１との間に延在する部位１３ｃが、従来技術の最もソレノイド部１に近接する連通穴とソレノイド部１との間に配設されたＯリング３に代わって、制御弁部１２とハウジング凹部周壁との当接部を介する冷媒ガスの圧縮機外への隙間漏れを効果的に阻止する。
弾性体被覆１３ｃの外周面とハウジング凹部周壁との間に適正な面圧が働くことにより、制御弁部１２とハウジング凹部との当接部を介する冷媒ガスの圧縮機外への隙間漏れが効果的に阻止される。押しつぶされた環状突起部１３ｃ’外周面とハウジング凹部周壁との間に高い面圧が働くことによりで、制御弁部１２とハウジング凹部周壁との当接部を介する冷媒ガスの圧縮機外への隙間漏れが更に効果的に阻止される。
弾性体被覆の前記部位１３ｃの透過距離、即ち制御弁部１２長手方向の前記部位１３ｃの延在長さは、Ｏリング３に比べて長いので、前記部位１３ｃを介する冷媒ガスの圧縮機外への透過漏れは、従来に比べて効果的に阻止される。
弾性体被覆１３ｃの素材として、水素化ニトリルゴム（ＨＮＢＲ）、エチレンプロピレンジエン三元共重合体配合物（ＥＰＤＭ  ｃｏｍｐｏｕｎｄ）等の耐冷媒ガス透過性に優れるゴムを使用することにより、弾性体被覆１３ｃを介する冷媒ガスの圧縮機外への透過漏れが効果的に阻止される。
【産業上の利用可能性】
【００１２】
本発明は、可変容量斜板式圧縮機の電磁式容量制御弁に広く利用可能である。
【図面の簡単な説明】
【００１３】
【図１】従来の可変容量斜板式圧縮機の電磁式容量制御弁の断面図である。
【図２】本発明の実施例に係る可変容量斜板式圧縮機の電磁式容量制御弁の断面図である。
【符号の説明】
【００１４】
１、１１  ソレノイド部
２、１２  制御弁部
３  Ｏリング
１０  電磁式容量制御弁
１２ａ、１２ｂ、１２ｃ  連通穴
１３ａ、１３ｂ、１３ｃ  弾性体被覆
１３ａ’、１３ｂ’、１３ｃ’  環状突起
【図１】
2007002672.tif 000003
【図２】
2007002672.tif 000004